(57)【要約】  ソーラエネルギー収集システムは、直接ソーラビームをソーラレセプタに収集するソーラ集中装置を備えている。シャッタプレートはソーラ集中装置及びソーラレセプタの間に位置し、ソーラビームに近い位置である開位置から、少なくともソーラビームの一部がシャッタプレートの前側の表面に当たり、レセプタに当たるソーラビームの一部が遮られる閉位置まで動くことが可能である。冷却回路は、シャッタプレートから熱を取り去るために冷却流体を循環させている。シャッタドライブは、少なくとも一個のシャッタプレートを開位置から閉位置まで動かし、シャッタコントロールは開位置と閉位置との間の複数の位置でシャッタプレートの動作を止める。
2008505301.tif 000002
【特許請求の範囲】
【請求項１】
ソーラビームがソーラレセプタに集中するように直接操作するソーラ集中装置と、
上記ソーラ集中装置及び上記ソーラレセプタの間に位置し、上記ソーラビームの一部を選択的に遮るためのソーラシャッタ装置とを備え、
上記装置は、
上記ソーラビームに近い位置である開位置から、少なくとも上記ソーラビームの一部がシャッタプレートの前側の表面に当たり、上記レセプタに当たる上記ソーラビームの一部が遮られる閉位置まで動くことのできる少なくとも一個の上記シャッタプレートと、
上記シャッタプレートから熱を取り去るための冷却流体が循環する冷却回路と、
少なくとも一個の上記シャッタプレートが上記開位置から上記閉位置まで動くように動作するシャッタドライブと、
上記シャッタドライブに接続しているシャッタコントロールとを備え、
上記シャッタコントロールが上記開位置と上記閉位置との間の複数の位置で上記シャッタプレートの動作を止める動作を実施するソーラエネルギー収集システムの使用方法。
【請求項２】
請求項１の装置は、上記ソーラビームが上記シャッタプレートの間を通過するように配置された複数のシャッタプレートを備え、
上記シャッタドライブは、
複数の上記シャッタプレートがお互いの方向へ動いて上記閉位置となり、
複数の上記シャッタプレートがお互いに離れるように動いて上記開位置となるように実施されるソーラエネルギー収集システムの使用方法。
【請求項３】
請求項２の装置において、
上記シャッタプレートは、
実質的に上記ソーラビームを横断する面に配置され、
上記開位置の場合、上記ソーラビームが上記シャッタフレームによって形成された中央の開口部を通過できるようにシャッタフレームにピボット旋回可能に設けられ、
上記ドライブは、上記中央の開口部の大きさを減少させるように上記シャッタプレートをお互いにピボット旋回させて上記閉位置となるように実施されるソーラエネルギー収集システムの使用方法。
【請求項４】
請求項３の装置が上記シャッタフレームに回転可能に設けられたシャッタリングを備えており、
上記シャッタプレートはそれぞれ、
上記シャッタプレートの第１の部位で上記シャッタフレームにピボット旋回可能に設けられ、
上記シャッタプレートの第２の部位でリンクを介して上記シャッタリングにピボット旋回可能に設けられ、
上記ドライブは、上記シャッタリングを上記シャッタフレームに対して回転させて上記シャッタプレートが上記開位置から上記閉位置まで動くように実施されるソーラエネルギー収集システムの使用方法。
【請求項５】
請求項１の装置において、
ソーラビームがコーン形状であり、上記ソーラ集中装置と上記ソーラレセプタとの間の直径によって減少しており、
少なくとも一個のシャッタプレートが中央の開口部を形成しており、
少なくとも一個の上記シャッタプレートは、
上記開位置の場合、上記ソーラビームが上記中央の開口部を通過するように上記ソーラレセプタに極めて近い位置に設けられ、
上記閉位置となる場合には上記ソーラビームの一部が少なくとも一個の上記シャッタプレートの上記中央の開口部の近くに当たるように上記ソーラ集中装置の方へ動くソーラエネルギー収集システムの使用方法。
【請求項６】
請求項５の装置において、少なくとも一個の上記シャッタプレートは、上記ソーラ集中装置と上記ソーラレセプタとの間に整列された通路上に設けられ、
上記ドライバは、少なくとも一個の上記シャッタプレートが上記通路に沿って動くように実施されるソーラエネルギー収集システムの使用方法。
【請求項７】
請求項１〜６のいずれか一個の装置において、
上記冷却回路は、
少なくとも一個のシャッタプレートに冷却管が設けられており、
冷却流体の供給源に接続されているソーラエネルギー収集システムの使用方法。
【請求項８】
請求項７の装置において、
上記冷却管は、
少なくとも一個のシャッタプレートの外側の縁の第１の位置から、少なくとも一個の上記シャッタプレートの内側の端まで延びる第１ホールと、
少なくとも一個の上記シャッタプレートの外側の縁の第２の位置から、少なくとも一個の上記シャッタプレートの内側の端まで延びる第２ホールとを備え、
上記第１ホール及び上記第２ホールが交差し、
上記第１ホールを循環する冷却流体が上記第２ホールに流れるソーラエネルギー収集システムの使用方法。
【請求項９】
請求項８の装置において、上記第１ホール及び上記第２ホールが上記シャッタプレートの前側の表面に近接して設けられているソーラエネルギー収集システムの使用方法。
【請求項１０】
請求項１〜９のいずれか一個の装置において、上記前側の表面が反射表面を備えているソーラエネルギー収集システムの使用方法。
【請求項１１】
請求項１〜１０のいずれか一個の装置において、少なくとも一個の上記シャッタプレートが上記ソーラレセプタに近接して設けられており、
少なくとも一個の上記シャッタプレートの後ろ側の表面が、反射表面及び遮断層のうちの一つを備え、
上記閉位置の場合、少なくとも一個の上記シャッタプレートが少なくとも一個の上記シャッタプレートを通して上記ソーラレセプタから失われる熱を減少させるように作用するソーラエネルギー収集システムの使用方法。
【請求項１２】
ソーラビームを直接ソーラレセプタに収集するソーラ集中装置と、
上記ソーラ集中装置及び上記ソーラレセプタの間に位置し、上記ソーラビームに近い位置である開位置から、少なくとも上記ソーラビームの一部がシャッタプレートの前側の表面に当たり、上記レセプタに当たる上記ソーラビームの一部が遮られる閉位置まで動くことが可能である上記シャッタプレートと、
上記シャッタプレートから熱を取り去るための冷却流体が循環する冷却回路と、
少なくとも一個の上記シャッタプレートが上記開位置から上記閉位置まで動くように動作するシャッタドライブと、
上記シャッタドライブに接続しているシャッタコントロールとを備え、
上記シャッタコントロールが上記開位置と上記閉位置との間の複数の位置で上記シャッタプレートの動作を止める動作を実施するソーラエネルギー収集システム。
【請求項１３】
請求項１２の装置は、上記ソーラビームが上記シャッタプレートの間を通過するように配置された複数のシャッタプレートを備え、
上記シャッタドライブは、
複数の上記シャッタプレートがお互いの方向へ動いて上記閉位置となり、
複数の上記シャッタプレートがお互いに離れるように動いて上記開位置となるように実施されるソーラエネルギー収集システム。
【請求項１４】
請求項１３の装置において、
上記シャッタプレートは、
実質的に上記ソーラビームを横断する面に配置され、
上記開位置の場合、上記ソーラビームが上記シャッタフレームによって形成された中央の開口部を通過できるようにシャッタフレームにピボット旋回可能に設けられ、
上記ドライブは、上記中央の開口部の大きさを減少させるように上記シャッタプレートをお互いにピボット旋回させて上記閉位置となるように実施されるソーラエネルギー収集システム。
【請求項１５】
請求項１４の装置が上記シャッタフレームに回転可能に設けられたシャッタリングを備えており、
上記シャッタプレートはそれぞれ、
上記シャッタプレートの第１の部位で上記シャッタフレームにピボット旋回可能に設けられ、
上記シャッタプレートの第２の部位でリンクを介して上記シャッタリングにピボット旋回可能に設けられ、
上記ドライブは、上記シャッタリングを上記シャッタフレームに対して回転させて上記シャッタプレートが上記開位置から上記閉位置まで動くように実施されるソーラエネルギー収集システム。
【請求項１６】
請求項１２の装置において、
ソーラビームがコーン形状であり、上記ソーラ集中装置と上記ソーラレセプタとの間の直径によって減少しており、
上記シャッタプレートが中央の開口部を形成しており、
上記シャッタプレートは、
上記開位置の場合、上記ソーラビームが上記中央の開口部を通過するように上記ソーラレセプタに極めて近い位置に設けられ、
上記閉位置となる場合には上記ソーラビームの一部が上記シャッタプレートの上記中央の開口部の近くに当たるように上記ソーラ集中装置の方へ動くソーラエネルギー収集システム。
【請求項１７】
請求項１６の装置において、少なくとも一個のシャッタプレートは、上記ソーラ集中装置と上記ソーラレセプタとの間に整列された通路上に設けられ、
上記ドライバは、少なくとも一個の上記シャッタプレートが上記通路に沿って動くように実施されるソーラエネルギー収集システム。
【請求項１８】
請求項１２〜１７のいずれか一個の装置において、
上記冷却回路は、
少なくとも一個のシャッタプレートに冷却管が設けられており、
冷却流体の供給源に接続されているソーラエネルギー収集システム。
【請求項１９】
請求項１８の装置において、
上記冷却管は、
少なくとも一個のシャッタプレートの外側の縁の第１の位置から、少なくとも一個の上記シャッタプレートの内側の端まで延びる第１ホールと、
少なくとも一個の上記シャッタプレートの外側の縁の第２の位置から、少なくとも一個の上記シャッタプレートの内側の端まで延びる第２ホールとを備え、
上記第１ホール及び上記第２ホールが交差し、
上記第１ホールを循環する冷却流体が上記第２ホールに流れるソーラエネルギー収集システム。
【請求項２０】
請求項１９の装置において、上記第１ホール及び上記第２ホールが上記シャッタプレートの前側の表面に近接して設けられているソーラエネルギー収集システム。
【請求項２１】
請求項１２〜２０のいずれか一個の装置において、上記前側の表面が反射表面を備えているソーラエネルギー収集システム。
【請求項２２】
請求項１２〜２１のいずれか一個の装置において、少なくとも一個の上記シャッタプレートが上記ソーラレセプタに近接して設けられており、
少なくとも一個の上記シャッタプレートの後ろ側の表面が、反射表面及び遮断層のうちの一つを備え、
上記閉位置の場合、少なくとも一個の上記シャッタプレートが少なくとも一個の上記シャッタプレートを通して上記ソーラレセプタから失われる熱を減少させるように作用するソーラエネルギー収集システム。
【発明の詳細な説明】
【発明の詳細な説明】
【０００１】
〔ソーラエネルギー制御〕
本発明はソーラエネルギーシステムに関するものであり、特にボイラ、オーブンなどのソーラレセプタによって受け取ったエネルギー制御に関するものである。
【０００２】
〔背景〕
能率が良く、効果的に太陽エネルギー（ソーラエネルギー）を利用する試みについて、多くの開発が行われている。一つの典型的なシステムでは、曲がったミラー形状によって太陽光線を集め、コーン形状に収束されたソーラビームとして収束させている。ソーラレセプタは、コーンの頂点の近くに設置され、熱エネルギーを要求する機能が望まれているソーラレセプタの内部で多くの熱を発生することができる。曲がったミラーは、典型的には小さく平らなミラーのセグメントが、収束させるために曲がったフレームに配置されることで形成されている。そして上記の曲がったミラーは、レセプタのエネルギー需要に応じてかなり大きい。
【０００３】
そのようなソーラシステムは、ソーラビームによって発生させた熱が少なくとも実質的に生じているようにするために、一般的に太陽が比較的利用可能である乾燥した場所に設置されている。上記のソーラレセプタは、ボイラ、サーマルリアクタ、スターリングエンジン（Stirling engine）などを含んでいる。このようなシステムでの問題点は、ソーラレセプタによって受け取った熱エネルギーの総量を制御することである。例えば、スターリングエンジンは、いかにしてエンジンに供給されたエネルギーを負荷に一致させるかに対応するスロットルの制御を持っていない。スターリングエンジンにミラーアレイからソーラエネルギーを供給したとき、上記エンジンに供給されるソーラエネルギーは実質的に一定値であり、そして負荷はミラーアレイから供給される全てのソーラエネルギーを用いるのに十分なレベルに維持されている必要がある。もし負荷が低下したら、エンジンは急速にオーバーヒートし、損傷をうける。同様のオーバーヒート及び損傷は、他のソーラレセプタでも同様に起こりうる。
【０００４】
レベルのコントロールを規定するために、ミラーアレイ上の平らなミラーのセグメントがアクチュエータによって動くことができるように搭載されていても良い。コントローラは、コーン形状に収束されたソーラビームを形成するためにアクチュエータを動作させ、ピボットでミラーを旋回させる。レセプタによって受け取られるエネルギーの総量を変化させることができる。それ故、例えばスターリングエンジンの負荷が減少したときに、オーバーヒートが検出されると、ミラーセグメントが焦点の外側に動き、受け取るエネルギーの総量を減らす。このようなシステムでは、徐々に平らなミラーセグメントが最大エネルギーまたは要求されているエネルギーを受け取るようになるまで焦点の内側に動き、レセプタがゆっくりと加熱されるようにすることも可能である。可動ミラーセグメント、アクチュエータ、及びコントロールは複雑であり、そのためこれらのシステムは構築や維持に非常にコストがかかる。
【０００５】
プレートをソーラビーム部分、またはその一部分に動かし、オーバーヒートによる損傷を防ぐ方法もまた知られている。そのようなプレートは、ソーラビームの激しい熱に耐えるように耐火性の部材で形成されており、非常に壊れ易く、上記のような要素から損傷を受けやすい。
【０００６】
〔発明の概要〕
本発明は、従来の問題点を克服したソーラエネルギー制御装置を提供することを目的としている。
【０００７】
本発明は、第１の実施形態において、ソーラエネルギー収集システムを用いるために、ソーラビームがソーラレセプタに集中するように直接操作するソーラ集中装置と、上記ソーラ集中装置及びソーラレセプタの間に位置し、ソーラビームの一部を選択的に遮るためのソーラシャッタ装置とを提供する。上記装置は、ソーラビームに近い位置である開位置から、少なくともソーラビームの一部がシャッタプレートの前側の表面に当たり、上記レセプタに当たるソーラビームの一部が遮られる閉位置まで動くことのできる少なくとも一つのシャッタプレートを備えている。冷却回路は、シャッタプレートから熱を取り去るための冷却流体が循環するように動作する。シャッタドライブは、少なくとも一つのシャッタプレートが上記開位置から上記閉位置まで動くように動作する。シャッタコントロールはシャッタドライブに接続しており、上記開位置と上記閉位置との間の複数の位置でシャッタプレートの動作を止める動作をする。
【０００８】
第２の実施形態の本発明では、ソーラエネルギー収集システムは、ソーラ集中装置が直接ソーラビームをソーラレセプタに収集する動作を含んでいるということを提供する。シャッタプレートは上記ソーラ集中装置及びソーラレセプタの間に位置し、ソーラビームに近い位置である開位置から、少なくともソーラビームの一部がシャッタプレートの前側の表面に当たり、上記レセプタに当たるソーラビームの一部が遮られる閉位置まで動くことが可能である。冷却回路は、シャッタプレートから熱を取り去るための冷却流体が循環するように動作する。シャッタドライブは、少なくとも一つのシャッタプレートが上記開位置から上記閉位置まで動くように動作する。シャッタコントロールはシャッタドライブに接続しており、上記開位置と上記閉位置との間の複数の位置でシャッタプレートの動作を止めるために動作する。
【０００９】
本発明は、収束させられたソーラビームの一部がソーラレセプタに当たることを防ぐためのソーラコントロール装置を提供する。上記の装置は、完全にソーラビームが上記ソーラレセプタに当たる開位置から、少なくともソーラビームの一部がシャッタプレートの前側の表面に当たり、上記レセプタに当たるソーラビームの一部が遮られる閉位置まで動くことが可能であるシャッタを含んでいる。上記装置は、それぞれがその内部に設けられた冷却管を有する一つまたは複数のシャッタプレートと、上記シャッタプレートからの熱を取り去るために上記冷却管を通して循環させる冷却流体の供給源とを備えていても良い。上記の循環する冷却流体は、シャッタプレートで発生する大量の熱を取り除き、まるでラジエタなどのようにそれをシャッタプレートから離れた場所に放散させる。
【００１０】
本発明は、例えば曲がったミラーであり、太陽光線を収束したソーラビームに収束する動作ができるソーラ集中装置と、収束されたソーラビームを受け取るように配置されたソーラレセプタとの間に設置することができるシャッタ装置を提供する。上記ソーラレセプタは、典型的にはリアクションチャンバ、またはスターリングエンジンなどであり、曲がったミラーはミラーセグメントのアレイである。
【００１１】
一実施形態では、上記シャッタ装置は、ピボットによってシャッタフレームに設けられた複数のシャッタプレートを含んでいる。また、シャッタコントロールは、完全にソーラビームが上記ソーラレセプタに当たる開位置から、ソーラビームの変化する一部分が遮られ、ソーラレセプタに当たることが妨げられるように部分的に閉じられた複数の位置、そしてソーラビームが実質的に遮られる閉位置までシャッタプレートの動作を行う。それぞれのシャッタプレートは、内部に冷却管を含んでおり、また冷却流体の供給源がそれぞれの冷却管に接続している。そのような冷却流体は、上記シャッタプレートから熱を取り去るために上記冷却管を通して循環している。
【００１２】
第２の実施形態では、シャッタ装置は中央の開口部に定義される環状のシャッタプレートを備えている。さらに、上記環状のシャッタプレートは一つまたは多くの内部冷却管を含んでおり、冷却流体の供給源は上記冷却管に接続している。そのような冷却流体は、上記環状のシャッタプレートから熱を取り去るために上記冷却管を通して循環している。上記の環状のシャッタプレートは、ソーラビームを横断するように設けられている。上記環状のシャッタプレートがソーラレセプタに対して近づく位置に設置されると、中央の開口部を通して完全にソーラビームが通過することができ、上記ソーラレセプタに当たる。上記環状のシャッタプレートが上記ソーラレセプタから曲がったミラーの方向へ動くと、コーン形状のソーラビームの外側部分が上記環状のシャッタプレートに当たり、従って上記ソーラレセプタに当たることが妨げられる。ビームの形状が円錐形であるので、上記環状のシャッタプレートは十分広く形成することができる。この場合、上記ソーラレセプタから十分離れて設けられると、殆どのソーラビームが遮られ、少しの部分だけが中央の開口部を通過して上記ソーラレセプタに当たるからである。本実施形態では、リニアシャッタコントロールが上記環状のシャッタプレートと上記ソーラレセプタとの間の距離を制御する。
【００１３】
上記冷却流体は、例えばエンジン冷却システムに用いられているような水とグリコールとの混合物であることが好ましく、効果的である。大量にくみ出すそのような混合液は、大量の熱をシャッタプレートから取り除くことができ、安全で扱い易い。他の流体について熟慮すると、液体と気体とを冷却流体として用いることができる。
【００１４】
またシャッタプレートが、上記ソーラレセプタに対向する後ろ側の表面で遮断するか反射する構成についても熟慮することができる。すると、曇りや夜の間、上記シャッタプレートを閉じることができ、シャッタ装置の開口部を通して放出される場合よりも熱がソーラレセプタ内に保持することができる。
【００１５】
〔図面に関する記載〕
本発明がこの文書の結論部分にクレームされるのに先立ち、好ましい実施形態を付随する図表と組み合わせることにより最も良く理解することのできる付随する詳細な記述として提供する。上記の図表では、それぞれの図表の部品に数字などの符号が付されている。
【００１６】
図１は、本発明のシャッタ装置が、曲がったミラーとして概略的に記載されたソーラ集中装置と、ソーラレセプタとの間に組み立てられた概略側面図であり、上記シャッタ装置が全てのソーラビームを上記ソーラレセプタによって受け取る開位置である場合を示している。
【００１７】
図２は、図１に示すシャッタ装置の一実施形態の概略側面図であり、シャッタプレートが一部閉じるように互いの方向に動き、ソーラビームの一部分がソーラレセプタによって受け取られている様子を示している。
【００１８】
図３は、環状のシャッタプレートを備える図１に示すシャッタ装置の他の一実施形態の概略側面図であり、シャッタ装置が部分的に閉じられた位置に動くためにソーラ集中装置に向かって動き、ソーラビームの一部分がソーラレセプタによって受け取られている様子を示している。
【００１９】
図４は、例えば図２の実施形態などに用いることのできるピボットによって旋回するシャッタプレートを備えるシャッタ装置の後方透視図であり、シャッタプレートが開位置にある様子を示している。
【００２０】
図５は、図４のシャッタ装置の前方透視図であり、シャッタプレートが開位置にある様子を示している。
【００２１】
図６は、図４のシャッタ装置の後方透視図であり、シャッタプレートが部分的に閉じられた位置にある様子を示している。
【００２２】
図７は、図４のシャッタ装置の前方透視図であり、シャッタプレートが殆ど完全に閉じられた位置にあり、さらにシャッタコントロール機構を保護するためのシールドが設けられている様子を示している。
【００２３】
図８は、シャッタ装置の後方透視図であり、シャッタプレートの一つに設けられた内部冷却管の様子を示している。
【００２４】
図９は、例えば図３のシャッタ装置などに用いられる環状シャッタプレートの他の正面図である。
【００２５】
図１０は、図１０のシャッタ装置の動作を示す概略図である。
【００２６】
〔図面に記載された実施形態の詳細な記載〕
図１は本発明のシャッタ装置２の概略図であり、シャッタ装置２は曲がったミラー４として記載されているソーラ集中装置と、例えば従来から知られているようなソーラレセプタ６との間に組み立てられている。曲がったミラー４は太陽光線をコーン形状のソーラビーム８に収束させる。そしてソーラレセプタ６はソーラビーム８を受け取るために実質的にコーンの頂点の近くに配置される。ソーラレセプタ６の内部でソーラビーム８によって発生した熱は従来から知られているようにさまざまな方法で用いられる。
【００２７】
図１では、シャッタ装置２は全てのソーラビームがシャッタ装置を通過し、ソーラレセプタ６によって受け取られる開位置について示している。図２はシャッタ装置２の一実施形態の動作を示す概略図であり、複数の動くことのできるシャッタプレートがソーラビーム８を遮り、それ自身の変化した部分によってソーラレセプタ６に当たることを妨げている。図２ではシャッタ装置２が一部閉じられた位置であり、ソーラビーム８の一部分がソーラレセプタ６によって受け取られている様子が記載されている。
【００２８】
シャッタ装置２の一実施形態は図４〜８に記載されており、これらの図ではソーラレセプタ６によって受け取られるソーラエネルギーがきちんと一様に制御されている。シャッタプレート１０は、その一つの角がピボットによってシャッタフレーム１２に旋回できるように設けられており、中央の開口部１４が定義されている。またシャッタプレート１０は、ピボットによって自身の他の角がリンク２０を介してシャッタリング１６に旋回可能となるように接続している。シャッタリング１６は、ドライバモータ１８の回転に応じてシャッタフレーム１２に対して回転する。そのため、シャッタプレート６は図４及び図５の開位置から図６の部分的に閉じられた位置を通り、図７の最も閉じられた位置を通り、そして実質的に完全に閉じられた位置までピボットによって旋回することができる。
【００２９】
そのため、シャッタプレート６が開位置から閉位置まで動くように見ることができるので、ソーラビーム８の変化した部分が遮られ、ソーラレセプタ６に当たることが妨げられる。ソーラレセプタ６によって受け取られたエネルギー、及びその温度は、それ故ドライブモータ１８を動作させてシャッタプレート１０を開く、または閉じることによって微細に制御される。見ての通り、カメラのシャッタとは異なり、このシャッタプレート１０は重なることがない。ソーラビーム８は、中央の開口部１４の中央を通過するのと同様にシャッタプレート１０の縁の間を通過することができる。図７はシャッタ装置２の前面を記載しており、シャッタ装置２の前面はシャッタ機構を保護するために設けられたシールドプレート２１によって曲がったミラー４に対面している。そして図に記載された実施形態では、円錐形状のソーラビーム８が全ての側面によって一度に閉じられている。この場合、ソーラレセプタ６によって受け取られるソーラビーム８の残りの部分は、実質的にソーラレセプタ６の表面で均等に配分されており、実質的にレセプタの過熱を均一にすることができる。
【００３０】
図に記載した典型的な変形では単純で用い易く、ソーラレセプタ６の加熱を均一にする結果であった。そして、ソーラレセプタ６によって受け取るソーラビーム８を遮るためにソーラビーム８の中、及び外に設けられたシャッタプレート１０の動きの目的を果たすことのできる他の配置について熟考する。このようなシャッタ装置は、例えばシャッタプレートのペアの位置がビーム８の両サイドの近くにある位置によって規定されていて、シャッタプレートのペアが共にビーム８を遮る位置に動くか、脇のほうを遮る位置に動くか、まったく遮らない位置に動くかによって規定される。それ故、このような他の変形例についても熟考しており、それらは本発明の範疇である。
【００３１】
図８は、一つのシャッタプレート１０の内部に設けられた内部冷却管２２の概略図であり、この内部冷却管２２はそれぞれのシャッタプレート１０の内部に定義されている。シャッタプレート１０は非常に厚く、図示された実施形態では冷却管２２は、シャッタプレート１０の外側の縁から内側の端まである角度でドリルによって設けられた一対の穴２４としてごく単純に設けられている。上記の穴２４はその内側の端で接しており、そして一方の穴から流れた冷却流体が他方の穴に流れるように冷却管２２を形成している。冷却管２２と冷却流体の供給源２８とを容易に接続するためのホース突起２６が、穴２４の暴露された端部に取り付けられている。水とグリコールとの混合物、または空気などの冷却流体は冷却流体の供給源２８から冷却管２２を通って循環している。
【００３２】
穴２４は、それらがシャッタプレート１０の極めて表面に近い場所を通り、その表面から熱を奪い去るような大きさ及び位置に設けられる。シャッタプレートは、熱伝導性が良く、自然力への曝露に耐えることのできる部材によって形成されている。アルミニウムはシャッタプレート１０に好適な部材であるが、銅などの他の部材も用いることができる。曲がったミラー４に向き合うシャッタプレート１０の前側の表面は、冷却流体によって取り除かねばならない熱の吸収を少なくするように、ソーラビーム８を反射するように磨かれていても良い。
【００３３】
さらに、シャッタ装置２は図１及び図２のようにソーラレセプタ６に隣接するように近くに配置されているのであるが、シャッタプレート１０がソーラレセプタ６に向き合うその後ろ側の表面で遮断するか反射するようになっていても良い。すると、曇りや夜の間、シャッタプレート１０を閉じることができ、中央の開口部１４を通して放出されて失われる場合よりもソーラレセプタ６内部の熱を保持することができる。
【００３４】
図９は、他のシャッタ装置１０２の概略図であり、図３及び図１０に記載されているように用いることが好ましい。シャッタ装置１０２は環状シャッタプレート１１０を含んでいる。一つまたは複数の内部冷却管１２２が環状シャッタプレート１１０の内部に上記と同様の方法によって設けられており、冷却流体の供給源に接続されている。環状シャッタプレート１１０は、さらに冷却管１２２を循環する冷却流体によって容易に熱を取り除くことができるように熱伝導性の部材で形成されている。
【００３５】
図１０に記載するように、環状シャッタプレート１１０がソーラレセプタ６に近づき、位置Ａに配置されているとき、全てのソーラビーム８は中央の開口部１１４を通過し、ソーラレセプタ６に当たる。環状シャッタプレート１１０は、シャッタプレート１１０がソーラレセプタ６に向かう方向、または離れる方向に動かすことができ、その通路上などに据え付けることができる。環状シャッタプレート１１０がソーラレセプタ６から離れる方向に動くと、円錐形状のソーラビーム８の外側部分が環状シャッタプレート１１０によって遮られる。位置Ｂでは、ソーラビーム８の少しの部分が遮られており、そして位置Ｃでは、ソーラビーム８の大部分が遮られている。
【００３６】
記載した典型的な配置は単純で、便利なものであったが、ソーラレセプタ６が受け取るソーラビーム８の内側及び外側を遮るためのシャッタプレート１０，１１０の他の動きを提供することについても熟慮されている。そしてそのような他の変形例についても本発明の範疇に含まれている。
【００３７】
このように、上記では実例として本発明の原理について論じてきた。さらに、非常に多くの変化や改良が当業者によって容易く行われるであろうけれども、本発明はここに示し、記載した構成及び方法に厳格に限定されるものではなく、構成及び方法についての全ての好ましい変化や改良はクレームされた発明の範疇で行うことができる。
【図面の簡単な説明】
【００３８】
【図１】本発明におけるシャッタ装置の実施の一形態を示す側面図である。
【図２】本発明におけるシャッタ装置の実施の一形態を示す側面図である。
【図３】本発明におけるシャッタ装置の実施の一形態を示す側面図である。
【図４】本発明におけるシャッタ装置の実施の一形態を示す後方透視図である。
【図５】本発明におけるシャッタ装置の実施の一形態を示す前方透視図である。
【図６】本発明におけるシャッタ装置の実施の一形態を示す後方透視図である。
【図７】本発明におけるシャッタ装置の実施の一形態を示す前方透視図である。
【図８】本発明におけるシャッタ装置の実施の一形態を示す後方透視図である。
【図９】本発明におけるシャッタ装置の実施の一形態を示す正面図である。
【図１０】本発明におけるシャッタ装置の実施の一形態を示す概略図である。
【図１】
2008505301.tif 000003
【図２】
2008505301.tif 000004
【図３】
2008505301.tif 000005
【図４】
2008505301.tif 000006
【図５】
2008505301.tif 000007
【図６】
2008505301.tif 000008
【図７】
2008505301.tif 000009
【図８】
2008505301.tif 000010
【図９】
2008505301.tif 000011
【図１０】
2008505301.tif 000012
【国際調査報告】
2008505301.tif 000013
2008505301.tif 000014